(57)【要約】【課題】布体にフレームの影が投影するのを緩和させて見栄えをよくするとともに、小型化できる布体被覆照明装置を得る。【解決手段】光源の透光部としての開口部を備え、開口部下面を被覆するように布体を張設するフレームを備え、フレームの内側に配置され、光源からの直接光の放射方向よりも、直接光が前記フレーム内側面に直接当たらない方向に傾斜形成させた傾斜部と、傾斜部から布体へほぼ垂直に向けられた面を、フレーム内側面に形成させた垂直部とを備えた。【選択図】  図１
2009295543.tif 000002
【特許請求の範囲】
【請求項１】
光源の透光部としての開口部を備え、該開口部下面を被覆するように布体を張設するフレームを備えた布体被覆照明装置であって、
前記フレームの内側に配置され、光源からの直接光の放射方向よりも、直接光が前記フレーム内側面に直接当たらない方向に傾斜形成させた傾斜部と、
該傾斜部から前記布体へほぼ垂直に向けられた面を、前記フレーム内側面に形成させた垂直部と、
を備えたことを特徴とする布体被覆照明装置。
【請求項２】
前記傾斜部と前記垂直部は、表面がつや消しあるいは梨地あるいはメタリック状であることを特徴とする請求項１に記載の布体被覆照明装置。
【請求項３】
前記フレームの開口部下面に面取り部を設けたことを特徴とする請求項１または２に記載の布体被覆照明装置。
【請求項４】
前記フレームは、前記光源が透光するように内側に開口した基体と、該基体の外周に取り付けられ、前記垂直部を有する平面部材と、該平面部材の内側に配置され、前記傾斜部を有する傾斜部材とを備えたことを特徴とする請求項１から３のいずれかに記載の布体被覆照明装置。
【発明の詳細な説明】
【技術分野】
【０００１】
この発明は、布体が被覆され、この布体を介して照明の光を照射する布体被覆照明装置に関するものである。
【背景技術】
【０００２】
近年、眩しさを感じさせないソフトな光を室内に投じ、室内の人の目に優しい印象を与えるものや、照明の光がムラなく照射され見栄えのよい照明装置として、布体被覆照明装置が注目されてきている。
従来の布体照明装置は、光源の透光部としての開口部を形成する方形状のフレームを備え、このフレームは縦断面が下方に尖った三角形状を形成している。そして、布体が、このフレームの開口下面を被覆するとともに、フレームの外側面に沿って巻き上げられ、フレームの外側面に設けられた係止溝に係止されている。フレームの開口内側面は、光源からの直接光の放射方向と同一方向に傾斜若しくはそれよりも直接光がフレーム開口内側面に直接当たる方向にさらに傾斜形成している。また、この傾斜面は凹凸状に形成されている。これにより、布体にフレームの影が投影することのない布体被覆照明装置としている。
【０００３】
【特許文献１】特開２０００−３１１５１３号公報（第２−３頁、第１図）
【発明の開示】
【発明が解決しようとする課題】
【０００４】
以上のように、従来の布体照明装置は、フレーム開口内側面が、直接光の放射方向と同一若しくはそれより大きい角度で傾斜している。そのため、この傾斜角度に相当したフレームの高さが必要となり、フレーム自体の高さが高くなる。その結果、装置全体の高さが高くなるといった問題点があった。特に、光源が布体から上下方向へ離れて配置される場合や、光源がフレームに対して水平方向へ近づいて配置される場合などは、傾斜角度が大きくなり、著しくフレームの高さを高くする必要がある。
この発明は、かかる問題を解決するためになされたもので、その目的は、布体にフレームの影が投影するのを緩和させて見栄えをよくするとともに、小型化できる布体被覆照明装置を得ることである。
【課題を解決するための手段】
【０００５】
この発明に係る布体被覆照明装置においては、光源の透光部としての開口部を備え、開口部下面を被覆するように布体を張設するフレームを備え、フレームの内側に配置され、光源からの直接光の放射方向よりも、直接光が前記フレーム内側面に直接当たらない方向に傾斜形成させた傾斜部と、傾斜部から布体へほぼ垂直に向けられた面を、フレーム内側面に形成させた垂直部とを備えたものである。
【発明の効果】
【０００６】
これにより、光源から放射される直接光が傾斜部の先端部に当たっても、この直接光は布体に反射され、その反射光が傾斜部と垂直部に反射されて布体からかご室内へ透光される。そのため、布体にフレームの影が投影するのを緩和できる。さらに、傾斜部が、光源からの直接光の放射方向よりも、直接光がフレームの内側面に直接当たらない方向に傾斜形成されているので、傾斜部の傾斜角度が大きくならず、フレームの高さを小さくでき、布体被覆照明装置を小型化することができる。
【発明を実施するための最良の形態】
【０００７】
実施の形態１．
図１は、この発明の実施の形態１における布体被覆照明装置を示す断面図である。図２は、図１に示した布体被覆照明装置のフレームを上方から見た斜視図である。図３は、図１に示した布体被覆照明装置の要部拡大部分と光源の光路を示す図である。実施の形態１は、エレベータのかご室１内に適用した布体被覆照明装置である。
図１及び２において、かご室１の天井１ａに光源２となる照明２ａが配置されている。この照明２ａの透光部としての開口部３を備えたフレーム４が照明２ａの周囲に配置されている。天井１ａの下面には取付部材１ｂが取り付けられ、この取付部材１ｂにフレーム４が取り付けられて、天井１ａにフレーム４が吊り下げられている。そして、開口部３を被覆するように布体５が、フレーム４の外周に張り付けられている。この布体５は、難燃性で適度な強度を有し、不透明若しくは半透明な透光性を有する素材が好ましく、例えば、シリコン樹脂をコーティングしたガラス繊維布などが好ましい。
【０００８】
フレーム４は、方形状の枠体であり、基体６と、平面部材７と、傾斜部材８と、クランプ９とを備えている。基体６は角パイプ状の形材で方形状に形成されており、光源２が透光するように内側が開口している。そして、基体６の外周に板状の平面部材７が取り付けられている。平面部材７は断面視において、上下に立設されて、フレーム４の内側面を形成するように取り付けられている。平面部材７の下側に開口部３が形成されている。
【０００９】
そして、開口部３を被覆するように布体５が、開口部３の下面に当接するとともに、平面部材７の外周に沿って巻き上げられている。そして、布体５は平面部材７の上側で折り返されて、クランプ９によって基体６の上面に取り付けられている。クランプ９は断面がＵ字状を呈しており、Ｕ字状の溝９ａの間に布体５を挿入し、ボルト１０で布体５を挟み込む。なお、布体５には、ボルト１０を通す取付穴が設けられ、この取付穴にボルト１０が挿入される。以上により、布体５がフレーム４に張り付けられている。
【００１０】
基体６と布体５との間に、傾斜部材８がフレーム４の内側面、即ち平面部材７の内側面に取り付けられている。傾斜部材８は、略Ｖ字状を呈し、一側の垂直面８ａが平面部材７の内側に取り付けられ、他側の傾斜面８ｂが布体５に対して斜め上方に傾斜されている。この傾斜面８ｂの傾斜角度は、光源２からの直接光の放射方向よりも、直接光が平面部材７の内側面に直接当たらない方向に傾斜した角度である。また、傾斜部材８は布体５に対して、上方向に離れて配置されている。そして、傾斜面８ｂの根元部から布体５へほぼ垂直に向けられた面を形成した垂直部１１が、平面部材７の内側面に設けられている。なお、傾斜部材８の傾斜面８ｂ及び平面部材７の垂直部１１は、つや消しや梨地またはメタリック状の表面であることが好ましく、平面部材７及び傾斜部材８をこのような素材とするか、あるいは塗装を施すことが好ましい。
【００１１】
また、基体６の内側面に取付部材１ｂが取り付けられ、この取付部材１ｂが天井１ａに取り付けられて、フレーム４が天井１ａに吊り下げられている。
【００１２】
次に、実施の形態１における布体被覆照明装置が照射する動作について、図３を用いて説明する。
光源２からの直接光は、開口部３の布体５に向けて放射されて、布体５からかご室内へ透光される。このとき、傾斜部材８の傾斜面８ｂの先端部に当たる直接光１２は、布体５からかご室内へ透光されるとともに、布体５に反射される。その反射光１２ａが傾斜面８ｂに向けて放射される。この反射光１２ａは傾斜面８ｂに反射されて、その反射光１２ｂが布体５に向けて放射されて布体５からかご室内へ透光される。また、反射光１２ｂの一部が垂直部１１に反射されて、その反射光１２ｃが布体５からかご室内へ透光される。傾斜面８ｂの先端部に当たらないその他の直接光１３も、同様に布体５からかご室内へ透光されるとともに、布体５に反射されて、その反射光が傾斜面８ｂ及び垂直部１１に反射されて、布体５からかご室内へ透光される。
【００１３】
以上の実施の形態１における布体被覆照明装置は、次に示す効果を奏する。
実施の形態１における布体被覆照明装置は、光源２の透光部としての開口部３を備えたフレーム４が光源２の周囲に配置されている。また、開口部３を被覆するように布体５が、フレーム４の外周に張り付けられている。そして、傾斜部材８がフレーム４の内側面に配置され、傾斜部材の傾斜面８ｂが、光源２からの直接光の放射方向よりも直接光がフレーム４の内側面に直接当たらない方向に傾斜形成されている。傾斜面８ｂの根元部に接して布体５へほぼ垂直に向けられた面を形成した垂直部１１が、平面部材７の内側面に設けられている。
【００１４】
これにより、光源２から放射される直接光が傾斜部材８の先端部に当たっても、この直接光は布体５に反射され、その反射光が傾斜面８ｂ、さらに垂直部１１に反射されて布体からかご室内へ透光される。そのため、布体にフレーム４の影が投影するのを緩和でき、見栄えのよい布体被覆照明装置が得られる。さらに、傾斜部材８が、光源２からの直接光の放射方向よりも、直接光がフレーム４の内側面に直接当たらない方向に傾斜形成されているので、傾斜部材８の傾斜角度が大きくならず、フレーム４の高さを小さくでき、布体被覆照明装置を小型化することができる。
【００１５】
また、傾斜部材８の傾斜面８ｂ及び平面部材７の垂直部１１は、つや消しや梨地またはメタリック状の表面としているので、傾斜面８ｂや垂直部１１に放射された光は、乱反射され、布体５からかご室内に透光される。これにより、光ムラがなく、眩しさを感じさせないソフトな光を室内に投じることができる。
【００１６】
また、フレーム４は、一体成形された形材ではなく、基体６、平面部材７及び傾斜部材８の組み合わせたもので作製される。そして、これらの部材は、角パイプ管や板金などの加工で製作することができ、容易に製作されるものである。そのため、例えば、照明装置の大きさなどにより、フレームと光源との位置関係が変わり、光源の直接光の放射方向も変わっても、傾斜部材の傾斜角や平面部材の高さなどを変えて作製することで対応できる。従って、容易に種々の照明装置に対応することができ、経済的な布体被覆照明装置が得られる。
【００１７】
実施の形態２．
図４はこの発明の実施の形態２における布体被覆照明装置の要部拡大部分を示す図であり、実施の形態１の図３に相当するものである。実施の形態２は実施の形態１に対してフレームの構造が異なるものである。
【００１８】
図４において、フレーム２０は、方形状の枠体であり、基体２１と、平面部材２２と、布体押え板２３と、傾斜部材２４とを備えている。基体２１は角パイプ状の形材で方形状に形成されており、光源２が透光するように内側が開口している。そして、基体２１の外周に板状の平面部材２２が取り付けられている。平面部材２２は断面視において、上下に立設されて、フレーム２０の内側面を形成するように取り付けられている。平面部材２２の下側に開口部３が形成されている。そして、開口部３を被覆するように布体５が、開口部３の下面に当接するとともに、平面部材２２の外周面に沿って巻き上げられている。
【００１９】
そして、布体押え板２３がフレーム２０の外側面、即ち平面部材２２の外周面に対向して配置されている。そして、布体５が平面部材２２の外周面と布体押え板２３とで挟み込まれて固定されている。布体押え板２３は平面部材２２にボルト２３ａによって締め付けられることで、布体５を挟み込んでいる。以上により、布体５がフレーム２０に張り付けられている。
【００２０】
基体２１と布体５との間に、傾斜部材２４がフレーム２０の内側面側に配置されている。傾斜部材２４は、略Ｖ字状を呈し、一側の垂直面２４ａが基体２１の内側に取り付けられ、他側の傾斜面２４ｂが布体５に向けて斜め下方に傾斜されている。そして、傾斜面２４ｂの先端部が平面部材２２の内側面近傍まで伸長されている。この傾斜面２４ｂの傾斜角度は、光源２からの直接光の放射方向よりも、直接光がフレーム２０の内側面、即ち平面部材２２の内側面に直接当たらない方向に傾斜した角度である。また、傾斜部材２４は布体５に対して上方向に離れて配置されている。そして、傾斜面２４ｂの先端部近傍から布体５へほぼ垂直に向けられた面を形成した垂直部２５が、平面部材２２の内側面に設けられている。また、フレーム２０の開口部３下面、即ち平面部材２２の下面に面取り部２６が設けられている。
【００２１】
なお、傾斜部材２４の傾斜面２４ｂ及び平面部材２２の垂直部２５は、つや消しや梨地またはメタリック状の表面であることが好ましく、平面部材２２及び傾斜部材２４をこのような素材とするか、あるいは塗装を施すことが好ましい。
【００２２】
また、断面コ字状の取付部材２７の一側が基体２１の上面に取り付けられ、他側が天井１ａに取り付けられて、フレーム２０が天井１ａに吊り下げられている。
その他の点は実施の形態１と同様であり、詳細な説明は省略する。また、実施の形態１と同符号のものは相当部分を示す。また、実施の形態２における布体被覆照明装置が照射する動作についても、実施の形態１と同様である。
【００２３】
以上の実施の形態２における布体被覆照明装置は、実施の形態１と同様な効果を奏するとともに、次に示す効果も奏する。
フレーム２０の開口部３下面に面取り部２６が設けられている。これにより、透光面側において、布体５とフレーム２０との接する面の範囲が小さくなり、フレーム２０の影が見える範囲も縮小され、さらに見栄えが良くなる。
【００２４】
なお、実施の形態２の面取り部２６は、実施の形態１の平面部材７に形成してもよい。
また、実施の形態１、２では、一個の光源２を設けたが、これに限定されることはなく、例えば、図５のように複数の光源を並列に配置されたものであってもよい。図５は、実施の形態１に対して、複数の光源、例えば２個の光源２を横方向に並列に配置し、各光源２の片側で照明装置の両側にフレーム４を配置したものである。このとき、傾斜部は、最も近くに配設された光源からの直接光の放射方向よりも、直接光がフレームの内側面に直接当たらない方向に傾斜形成される。
また、実施の形態１，２では、エレベータのかご室に適用した照明装置を示したが、これに限定されることなく、居室内の照明装置にも適用可能である。
【図面の簡単な説明】
【００２５】
【図１】この発明の実施の形態１における布体被覆照明装置を示す断面図である。
【図２】図１に示した布体被覆照明装置のフレームを上方から見た斜視図である。
【図３】布体被覆照明装置の要部拡大部分と光源の光路を示す図である。
【図４】この発明の実施の形態１における布体被覆照明装置の要部拡大部分を示す図である。
【図５】この発明の他の実施の形態における布体被覆照明装置を示す断面図である。
【符号の説明】
【００２６】
１  かご室、  １ａ  天井、  ２  光源、  ３  開口部、  ４  フレーム、
５  布体、  ６  基体、  ７  平面部材、  ８  傾斜部材、  ８ａ  傾斜面、  １１  垂直部
【図１】
2009295543.tif 000003
【図２】
2009295543.tif 000004
【図３】
2009295543.tif 000005
【図４】
2009295543.tif 000006
【図５】
2009295543.tif 000007